(57)【要約】【課題】使用者にとって使いやすい画像再生装置を提供すること。【解決手段】メインスイッチ１０１のスイッチ状態により、設定モードと投影モードとの切り換えが行われる。設定モードにおいては投影／設定操作釦１０２の押圧操作により画像の投影の許可又は禁止を設定することができる。投影モードにおいては、設定モードにおける設定に応じて画像データの読み出し及び投影が行われる。【選択図】図１
2006113370.tif 000002
【特許請求の範囲】
【請求項１】
記録媒体に記録されている画像を再生表示する画像再生装置において、
上記記録媒体に記録されている画像のそれぞれについて上記再生表示の許可または上記再生表示の禁止を設定可能であることを特徴とする画像再生装置。
【請求項２】
記録媒体に記録されている画像を読み出して再生表示する画像再生装置において、上記再生表示を禁止するか否かを設定する設定手段と、
上記設定手段の設定により、上記画像を上記記録媒体から読み出すか否かを決定すると共に、上記画像を上記記録媒体から読み出す場合には、読み出した画像を再生表示させる表示制御手段と、
を具備することを特徴とする画像再生装置。
【請求項３】
上記画像再生装置は、上記画像をスクリーン面に投影するプロジェクタ装置であることを特徴とする請求項２に記載の画像再生装置。
【請求項４】
上記設定手段は、上記設定を行うための手動操作部材を含むことを特徴とする請求項２に記載の画像再生装置。
【請求項５】
上記画像再生装置は、上記設定手段による設定操作が可能な第１のモードと上記再生表示が可能な第２のモードとを有していることを特徴とする請求項４に記載の画像再生装置。
【請求項６】
上記記録媒体は、上記画像とともに上記設定手段によって設定された上記再生表示を禁止するか否かを示す情報を付帯情報として記録するための領域を有することを特徴とする請求項２に記載の画像再生装置。
【請求項７】
上記表示制御手段は、上記記録媒体から上記付帯情報を読み出し、この読み出した付帯情報に基づいて、上記画像を読み出すか否かの判定を行うことを特徴とする請求項６に記載の画像再生装置。
【請求項８】
上記記録媒体は、当該画像再生装置に対して着脱自在に構成された記録媒体であることを特徴とする請求項１に記載の画像再生装置。
【請求項９】
記録媒体に記録されている画像を選択的に読み出して再生表示する画像再生装置において、
上記再生表示に先立ち、選択された画像の付帯情報を上記記録媒体から読み出し、該付帯情報によって上記再生表示が禁止されていると判断した場合には上記選択画像の再生表示を行わないようにしたことを特徴とする画像再生装置。
【請求項１０】
記録媒体に記録されている画像を選択的に読み出して再生表示する画像再生装置において、
上記記録媒体に記録されている画像のそれぞれについて上記再生表示の可否を示す可否情報を設定可能な第１のモードと、上記第１のモードにおいて再生表示が許可された画像を読み出して再生表示可能な第２のモードとを切り換える切り換え手段を具備することを特徴とする画像再生装置。
【請求項１１】
上記第１のモードにおいては、設定された上記可否情報が上記記録媒体に記録されることを特徴とする請求項１０に記載の画像再生装置。
【請求項１２】
上記第２のモードにおいては、上記記録媒体に記録された上記可否情報が読み出され、この可否情報に基づいて上記再生表示の可否が判定されることを特徴とする請求項１１に記載の画像再生装置。
【請求項１３】
記録媒体に記録されている画像を再生表示する画像再生装置において、
上記記録媒体に記録されている画像を選択するための選択手段と、
上記選択手段で選択された画像を表示する第１の表示手段と、
上記選択手段で選択された画像と等価な画像を表示する第２の表示手段と、
上記選択手段で選択された画像を第１の表示手段に表示させながら、上記画像について上記第２の表示手段による再生表示の可否を示す可否情報を設定する設定手段と、
上記選択手段で選択され、かつ、上記設定手段で再生表示が許可された画像を読み出して上記第２の表示手段に表示させる表示制御手段と、
を具備することを特徴とする画像再生装置。
【請求項１４】
上記設定手段は、上記可否情報を該当する画像に関連付けて上記記録媒体に記録することを更に行うことを特徴とする請求項１３に記載の画像再生装置。
【請求項１５】
上記表示制御手段は、上記記録媒体に記録された上記可否情報に基づいて上記記録媒体から読み出す画像を決定することを特徴とする請求項１４に記載の画像再生装置。
【請求項１６】
上記設定手段は、上記可否情報を上記選択手段で選択された画像に重畳して上記第１の表示手段に表示することを更に行うことを特徴とする請求項１３に記載の画像再生装置。
【発明の詳細な説明】
【技術分野】
【０００１】
本発明は、画像を再生表示可能な画像再生装置に関する。
【背景技術】
【０００２】
デジタルカメラなどの画像撮影機器には、撮影した画像を表示するためのモニタ装置が設けられているものが多い。このモニタ装置は、個人で撮影した画像を確認できるようにするためのものであり、多人数で同時に画像を見るなどの使い方には適していない。したがって、撮影画像を多人数で見て楽しむために、撮影画像を、別の画像再生装置を用いて拡大して表示することがある。この種の画像再生装置の一例としてのプロジェクタ装置が、例えば特許文献１などで提案されている。また、画像が記録された磁気記録媒体を装着することで、磁気記録媒体に記録された画像を拡大して投影することができるプロジェクタ装置が特許文献２において提案されている。また、画像再生装置の別の例として、投影機能を有する電子カメラが特許文献３において提案されている。
【特許文献１】特開平６−２８１９０６号公報
【特許文献２】特開平５−０９３９５７号公報
【特許文献３】特開平５−１３７０３９号広報
【発明の開示】
【発明が解決しようとする課題】
【０００３】
ところで、デジタルカメラで撮影した画像の中には、使用者が他人に見せたくない画像や他人に見せる必要がない画像が含まれていることも多い。このような画像が含まれている場合、上述の画像再生装置でもって多人数で鑑賞するということは、好ましいものではない。
【０００４】
本発明は、上記の事情に鑑みてなされたもので、使用者にとって使いやすい画像再生装置を提供することを目的とする。
【課題を解決するための手段】
【０００５】
上記の目的を達成するために、本発明の第１の態様による画像再生装置は、記録媒体に記録されている画像を再生表示する画像再生装置において、上記記録媒体に記録されている画像のそれぞれについて上記再生表示の許可または上記再生表示の禁止を設定可能であることを特徴とする。
【０００６】
また、本発明の第２の態様による画像再生装置は、記録媒体に記録されている画像を読み出して再生表示する画像再生装置において、上記再生表示を禁止するか否かを設定する設定手段と、上記設定手段の設定により、上記画像を上記記録媒体から読み出すか否かを決定すると共に、上記画像を上記記録媒体から読み出す場合には、読み出した画像を再生表示させる表示制御手段とを具備することを特徴とする。
【０００７】
また、本発明の第３の態様による画像再生装置は、記録媒体に記録されている画像を選択的に読み出して再生表示する画像再生装置において、上記再生表示に先立ち、選択された画像の付帯情報を上記記録媒体から読み出し、該付帯情報によって上記再生表示が禁止されていると判断した場合には上記選択画像の再生表示を行わないようにしたことを特徴とする。
【０００８】
また、本発明の第４の態様による画像再生装置は、記録媒体に記録されている画像を選択的に読み出して再生表示する画像再生装置において、上記記録媒体に記録されている画像のそれぞれについて上記再生表示の可否を示す可否情報を設定可能な第１のモードと、上記第１のモードにおいて再生表示が許可された画像を読み出して再生表示可能な第２のモードとを切り換える切り換え手段を具備することを特徴とする。
【０００９】
また、本発明の第５の態様による画像再生装置は、記録媒体に記録されている画像を再生表示する画像再生装置において、上記記録媒体に記録されている画像を選択するための選択手段と、上記選択手段で選択された画像を表示する第１の表示手段と、上記選択手段で選択された画像と等価な画像を表示する第２の表示手段と、上記選択手段で選択された画像を第１の表示手段に表示させながら、上記画像について上記第２の表示手段による再生表示の可否を示す可否情報を設定する設定手段と、上記選択手段で選択され、かつ、上記設定手段で再生表示が許可された画像を読み出して上記第２の表示手段に表示させる表示制御手段とを具備することを特徴とする。
【００１０】
これら第１〜第５の態様によれば、記録媒体に記録された画像の再生を許可するか禁止するかを設定することができる。
【発明の効果】
【００１１】
本発明によれば、使用者にとって使いやすい画像再生装置を提供することができる。
【発明を実施するための最良の形態】
【００１２】
以下、図面を参照して本発明の実施形態を説明する。  
［第１の実施形態］
図１は、本発明の第１の実施形態に係る画像再生装置の一例としてのプロジェクタ装置の外観図である。図１に示すように本プロジェクタ装置１００には、メインスイッチ（ＳＷ）１０１と、投影／設定操作釦１０２と、選択ダイアル１０３と、投影レンズ１０４と、画像記録メディア装着部蓋１０５と、可倒式表示部１０７とが配置されている。
【００１３】
切り換え手段としてのメインスイッチ１０１は、本プロジェクタ装置１００の主電源のオンオフの切り換えと、更に本プロジェクタ装置１００の動作モードの切り換えを行うためのスイッチである。図１において、メインスイッチ１０１がＳＥＴ位置にある場合には、本プロジェクタ装置１００の主電源がオンされるとともに、その動作モードが、第１のモードとしての設定モードに切り換わる。この設定モードは画像に対して投影の許可／禁止を設定するためのモードである。また、メインスイッチ１０１がＯＮ位置にある場合には、本プロジェクタ装置１００の主電源がオンされるとともに、その動作モードが、第２のモードとしての投影モードに切り換わる。この投影モードは、設定モードにおいて投影の許可がなされた画像を投影するためのモードである。さらに、メインスイッチ１０１がＯＦＦ位置にある場合には、本プロジェクタ装置１００の主電源がオフされる。
【００１４】
また、設定手段としての投影／設定操作釦１０２は、設定モード時には画像に対して投影の許可／禁止を切り換えるための手動操作部材として機能する。一方、投影モード時において、投影／設定操作釦１０２は、画像投影のオンオフを切り換えるための手動操作部材として機能する。即ち、本プロジェクタ装置１００においては、使用者によって投影／設定操作釦１０２が押圧されている間は、投影レンズ１０４を介して図２のようにして投影用画像２００が投影される。ここで、投影レンズ１０４は複数の光学系で構成されており、使用者によって選択された画像を拡大して投影面に投影する。
【００１５】
また、選択手段としての選択ダイアル１０３は、画像の選択切り換えを行うための回転操作部材である。即ち、選択ダイアル１０３を回転操作させた場合には、その回転量に応じてプロジェクタ装置１００に装着された画像記録メディア内の画像データの中から画像の選択切換が行われる。
【００１６】
また、画像記録メディア装着部蓋１０５は、記録媒体としての画像記録メディア１０６を本プロジェクタ装置１００に装着するための装着部を覆う蓋である。ここで、画像記録メディア１０６は、例えばメモリカードなどで構成されており、図３に示すようなデジタルカメラ３００に対して挿脱自在な記録メディアである。デジタルカメラ３００の画像記録メディア装着部３０１に画像記録メディア１０６を挿入することで、デジタルカメラ３００によって撮影された画像を画像記録メディア１０６に記録することができる。また、デジタルカメラ３００から画像記録メディア１０６を取り出してプロジェクタ装置１００に装着することで、画像記録メディア１０６に格納された撮影画像を投影用画像としてスクリーンや壁面などの投影面上に投影することが可能である。
【００１７】
ここで、画像記録メディア１０６に撮影画像を記録する際には、この撮影画像に関連付けられた付帯情報（ファイル情報）も同時に記録される。
【００１８】
図４は、撮影画像とファイル情報とが画像記録メディア１０６内でどのように割り付けられて記録されるのかを概念的に示した図である。図４に示すように、画像記録メディア１０６の記録領域はファイル管理領域１０６ａと画像格納領域１０６ｂとに分割されている。
【００１９】
ファイル管理領域１０６ａはファイル情報が記録される記録領域である。ここで、ファイル情報としては、画像ファイルのファイル名、画像の撮影日付、撮影時の撮影フレーム番号、画像投影の許可／禁止を示す可否情報としての投影許可情報及び投影禁止情報等の各種情報と、画像データが格納されているセクタ番号を指定するための使用セクタ番号とが記録される。
【００２０】
また、画像格納領域１０６ｂは、撮影によって得られた画像データが記録される記録領域である。画像格納領域１０６ｂに格納されている画像データを読み出す際には、ファイル情報に記録された使用セクタ番号が参照され、該当するセクタ番号に格納されている画像データが読み出される。
【００２１】
また、図１に示す可倒式表示部１０７は、本プロジェクタ装置１００に対して開閉自在に構成された表示部である。この可倒式表示部１０７を開くことにより、図５のようにして第１の表示手段としての確認用液晶パネル１０７ａが露出するようになる。この確認用液晶パネル１０７ａにより、使用者は投影用画像を確認することができる。
【００２２】
図６は、本発明の第１の実施形態に係るプロジェクタ装置の内部構成について示すブロック図である。なお、図６は、画像記録メディア１０６が装着された状態の図を示している。  
表示制御手段としての制御部１は、本プロジェクタ装置の画像投影制御を行うための制御部である。この制御部１は、画像読出部２、装着部３、切換スイッチ６、駆動部７、及び検知部１６に接続されている。
【００２３】
画像読出部２は、装着部３を介して画像記録メディア１０６に接続されている。また、装着部３は、制御部１に接続されており、制御部１において装着部３に画像記録メディア１０６が装着されているか否かが判定できるようになっている。更に画像読出部２は画像表示部５に接続されている。画像読出部２では、制御部１の画像投影開始指示を受けて、装着部３を介して本プロジェクタ装置に装着された画像記録メディア１０６に記録されている画像データが読み出されて画像表示部５に出力される。
【００２４】
画像表示部５は切換スイッチ６を介して確認用液晶パネル１０７ａに接続されている。また、切換スイッチ６は投影用液晶パネル１０にも接続されている。切換スイッチ６がＡ接点側に切り換わっている状態において、画像表示部５では、画像読出部２で読み出された投影用画像データに基づいて確認用液晶パネル１０７ａへの画像表示制御が行われ、この結果、確認用液晶パネル１０７ａ上に確認用の画像が表示される。
【００２５】
駆動部７は、確認用液晶パネル１０７ａ上に表示された画像と等価な画像を、図示しないスクリーン上に投影するための投影用光源８を発光駆動する電流供給部である。即ち、駆動部７は、制御部１からの画像投影開始指示を受けて、投影用光源８に電流を供給することにより投影用光源８を発光させる。また、このときの電流の供給量を調整することにより、投影用光源８を発光させる際の光量を調整する。ここで、投影用光源８には、高輝度白色ＬＥＤのような小型で発熱量の少ない光源を用いることが好ましい。このような光源を用いることで、プロジェクタ装置の大型化を抑制することができる。
【００２６】
投影用光源８の光路上には、コンデンサレンズ９が配置されており、このコンデンサレンズ９を通過した光は平行光に集光される。また、このとき制御部１によって切換スイッチ６がＢ接点側に切り換えられる。これによって、画像表示部５では、画像読出部２で読み出された投影用画像データに基づいて投影用液晶パネル１０への画像表示制御が行われ、この結果、投影用液晶パネル１０上に投影用の画像が表示される。コンデンサレンズ９を介して投影用液晶パネル１０に入射した平行光によって投影用液晶パネル１０に表示された画像の投影が行われる。この投影光は、保護ガラス１１を介して、第１のプリズム１２、開口絞り１３、第２のプリズム１４からなる投影レンズ系に入射する。
【００２７】
ここで、本プロジェクタ装置の投影レンズ系は、図６に示すように２個のプリズムを組み合わせて構成するようにしている。一般に光学性能を高めるためには、光学系全体の光路長をある程度長くするような設計が必要であるが、光路長を長くしてしまうと装置が大型化してしまう。そこで、本プロジェクタ装置では、入射面、射出面、及び反射面の一部または全部がパワーを有する曲面（球面や平面から大きく形状が逸脱した自由曲面）で形成された自由曲面プリズム光学系を利用し、この自由曲面プリズムによって光路を折り曲げることによって光路長を長くしている。これにより、プロジェクタ装置の大型化を抑制しつつ、高性能の画像投影を行うことができる。ここで、第１のプリズム１２は、光入射面、２つの反射面、及び光射出面が自由曲面になっている。また、第２のプリズム１４は、光入射面、反射面、及び光射出面が自由曲面になっている。また、投影レンズ系中に配置された開口絞り１３は投影面を規制するために設けられている。
【００２８】
このような投影レンズ系から出射された投影光により、投影用液晶パネル１０に表示された画像が、保護ガラス１５を介して画像投影面としての図示しないスクリーン上に投影される。このように、画像表示部５、駆動部７、投影用光源８、コンデンサレンズ９、投影用液晶パネル１０、第１のプリズム１２、開口絞り１３、第２のプリズム１４などで第２の表示手段が構成されている。
【００２９】
また、検知部１６は、上記メインスイッチ１０１、上記投影／設定操作釦１０２、及び上記選択ダイアル１０３に接続されており、この検知部１６においてメインスイッチ１０１のオンオフ状態や、投影／設定操作釦１０２の操作状態、選択ダイアル１０３の操作状態が検知される。これらに従って制御部１は各種の制御を行う。
【００３０】
図７は、本プロジェクタ装置におけるメインの制御について示したフローチャートである。この図７の制御は、制御部１によって行われる。  
本プロジェクタ装置１００の主電源がオンされると、図７の制御が開始して、制御部１は、画像記録メディア１０６が装着部３に装着されているか否かを判定し（ステップＳ１）、画像記録メディア１０６が装着部３に装着されるまで待機する。一方、ステップＳ１の判定において、画像記録メディア１０６が装着部３に装着されていると判定した場合には、ステップＳ１をステップＳ２に分岐して、制御部１は、メインスイッチ１０１がＳＥＴ位置にあるか否か、即ち動作モードが設定モードであるか否かを判定する（ステップＳ２）。
【００３１】
ステップＳ２の判定において、動作モードが設定モードであると判定した場合には、ステップＳ２をステップＳ３に分岐して、制御部１は、設定モードの動作を実行する（ステップＳ３）。一方、ステップＳ２の判定において、動作モードが設定モードでない、即ち動作モードが投影モードであると判定した場合には、ステップＳ２をステップＳ４に分岐して、制御部１は、投影モードの動作を実行する（ステップＳ４）。
【００３２】
図８は、図７のステップＳ３における設定モードの制御について示したフローチャートである。  
設定モードにおいて、まず制御部１は、切換スイッチ６をＡ接点側に切り換えて確認用液晶パネル１０７ａを選択する（ステップＳ１１）。
【００３３】
次に、制御部１は、画像記録メディア１０６から画像データを読み出すための図示しないカウンタのカウント値ｎを１に設定する（ステップＳ１２）。そして、制御部１は、画像記録メディア１０６に記録されているｎ番目の画像に関するファイル情報を読み出すように画像読出部２に読み出し指示を送り（ステップＳ１３）、ファイル情報に記録されている使用セクタ数を参照して、ｎ番目の画像データを読み出す（ステップＳ１４）。そして、確認用液晶パネル１０７ａ上にｎ番目の画像を確認用の画像として表示させる（ステップＳ１５）。ここで、設定モードにおいて確認用の画像を表示する際には、例えば、図９（ａ）や図９（ｂ）に示すようにして、画像記録メディア１０６に記録されている画像と共にこの画像に関する情報をスーパーインポーズ表示させる。このときに表示させる情報としては、例えば図９（ａ）や図９（ｂ）に示すファイル名４０１、撮影日付４０２、撮影フレーム数４０３などが含まれる。これら以外の情報を表示させるようにしても良いことは言うまでもない。
【００３４】
さらに、第１の実施形態では、後の画像投影の可否を示す情報である可否情報として、投影許可情報及び投影禁止情報等を表示させる。例えば、当該画像の投影を禁止するように設定されている場合には図９（ａ）に示す投影禁止表示４０４ａを表示させる。また、当該画像の投影を許可するように設定されている場合には図９（ｂ）に示す投影許可表示４０４ｂを表示させる。
【００３５】
ステップＳ１５において確認用の画像を表示させた後、制御部１は、投影／設定操作釦１０２がオンされたか否か、即ち投影／設定操作釦１０２が押圧状態であるか否かを判定する（ステップＳ１６）。ステップＳ１６の判定において、投影／設定操作釦１０２がオンされていないと判定した場合には、ステップＳ１６をステップＳ１７に分岐して、制御部１は、メインスイッチ１０１の状態が切り換えられたか否か、即ち動作モードの変更がなされたか否かを判定する（ステップＳ１７）。ステップＳ１７の判定において、動作モードの変更がなされたと判定した場合には、図８のフローチャートを抜けて図７のメインフローチャートに戻る。一方、ステップＳ１７の判定において、動作モードの変更がなされていないと判定した場合には、ステップＳ１７をステップＳ１８に分岐して、制御部１は、選択ダイアル１０３が操作されたか否かを判定する（ステップＳ１８）。ステップＳ１８の判定において選択ダイアル１０３が操作されていないと判定した場合には、ステップＳ１６に戻る。一方、ステップＳ１８の判定において選択ダイアル１０３が操作されたと判定した場合には、ステップＳ２２に移行する。
【００３６】
また、ステップＳ１６の判定において、投影／設定操作釦１０２がオンされたと判定した場合には、ステップＳ１６をステップＳ１９に分岐して、制御部１は、現在選択されている画像データのファイル情報として投影禁止データが書き込み済みであるか否かを判定する（ステップＳ１９）。ステップＳ１９の判定において、投影禁止データが書き込み済みであると判定した場合には、ステップＳ１９をステップＳ２０に分岐して、制御部１は、ファイル情報に書き込まれている投影禁止データを投影許可データに置き換えて（ステップＳ２０）、ステップＳ２２に移行する。これにより、投影モードにおいて当該画像の投影が許可される。
【００３７】
一方、ステップＳ１９の判定において、投影禁止データが書き込み済みでないと判定した場合には、ステップＳ１９をステップＳ２１に分岐して、制御部１は、ファイル情報に投影禁止データを新たに書き込む、若しくはファイル情報に書き込まれている投影許可データを投影禁止データに置き換えて（ステップＳ２１）、ステップＳ２２に移行する。これにより、投影モードにおいて当該画像の投影が禁止される。
【００３８】
次に、制御部１は、図示しないカウンタのカウント値ｎをインクリメントする（ステップＳ２２）。そして、制御部１は、ｎ番目の画像データが画像記録メディア１０６に記録されているか否かを判定する（ステップＳ２３）。ステップＳ２３の判定において、ｎ番目の画像データが画像記録メディア１０６に記録されていると判定した場合には、ステップＳ１３に戻り、次の画像に関するファイル情報を読み出す。一方、ステップＳ２３の判定において、ｎ番目の画像データが画像記録メディア１０６に記録されていないと判定した場合には、ステップＳ２３をステップＳ２４に分岐して、カウンタのカウント値ｎを１に戻して（ステップＳ２４）、ステップＳ１３に戻る。
【００３９】
図１０は、図７のステップＳ４における投影モードの制御について示したフローチャートである。  
投影モードにおいて、まず制御部１は、切換スイッチ６をＡ接点側に切り換えて確認用液晶パネル１０７ａを選択する（ステップＳ３１）。
【００４０】
次に、制御部１は、画像記録メディア１０６から画像データを読み出すための図示しないカウンタのカウント値ｎを１に設定する（ステップＳ３２）。そして、制御部１は、画像記録メディア１０６に記録されているｎ番目の画像に関するファイル情報を読み出すように画像読出部２に読み出し指示を送る（ステップＳ３３）。
【００４１】
次に、制御部１は、ｎ番目の画像に関するファイル情報を参照して投影禁止データが書き込まれているか否か、即ち画像投影が禁止であるか否かを判定する（ステップＳ３４）。ステップＳ３４の判定において、画像投影が禁止であると判定された場合には、ステップＳ３４をステップＳ３５に分岐して、図示しないカウンタのカウント値ｎをインクリメントする（ステップＳ３５）。そして、制御部１は、ｎ番目の画像データが画像記録メディア１０６に記録されているか否かを判定する（ステップＳ３６）。ステップＳ３６の判定において、ｎ番目の画像データが画像記録メディア１０６に記録されていると判定した場合には、ステップＳ３３に戻り、次の画像に関するファイル情報を読み出す。一方、ステップＳ３６の判定において、ｎ番目の画像データが画像記録メディア１０６に記録されていないと判定した場合には、ステップＳ３６をステップＳ３７に分岐して、制御部１は、動作モードの変更がなされたか否かを判定する（ステップＳ３７）。ステップＳ３７の判定において、動作モードの変更がなされたと判定した場合には、図１０のフローチャートを抜けて図７のメインフローチャートに戻る。一方、ステップＳ３７の判定において、動作モードの変更がなされていないと判定した場合には、ステップＳ３１に戻り、カウンタのカウント値ｎの値を１に戻す。
【００４２】
このように、第１の実施形態では、投影が禁止されている画像データは画像記録メディア１０６から読み出さないようにして、画像データ読み出しによるタイムラグを削減するようにしている。
【００４３】
また、ステップＳ３４の判定において、画像投影が禁止でないと判定された場合には、ステップＳ３４をステップＳ３８に分岐して、制御部１は、ファイル情報に記録されている使用セクタ数を参照して、ｎ番目の画像データを読み出す（ステップＳ３８）。そして、確認用液晶パネル１０７ａ上にｎ番目の画像を確認用の画像として表示させる（ステップＳ３９）。ここで、投影モードにおいて、確認用の画像を表示する際には、例えば図１１に示すようにして、画像記録メディア１０６に記録されている画像５０１のみを表示させる。
【００４４】
ステップＳ３９において確認用の画像を表示させた後、制御部１は、投影／設定操作釦１０２がオンされたか否か、即ち投影／設定操作釦１０２が押圧状態であるか否かを判定する（ステップＳ４０）。ステップＳ４０の判定において、投影／設定操作釦１０２がオンされていないと判定した場合には、ステップＳ４０をステップＳ４１に分岐して、制御部１は、動作モードの変更がなされたか否かを判定する（ステップＳ４１）。ステップＳ４１の判定において、動作モードの変更がなされたと判定した場合には、図１０のフローチャートを抜けて図７のメインフローチャートに戻る。一方、ステップＳ４１の判定において、動作モードの変更がなされていないと判定した場合には、ステップＳ４１をステップＳ４２に分岐して、制御部１は、選択ダイアル１０３が操作されたか否かを判定する（ステップＳ４２）。ステップＳ４２の判定において選択ダイアル１０３が操作されていないと判定した場合には、ステップＳ４０に戻る。一方、ステップＳ４２の判定において選択ダイアル１０３が操作されたと判定した場合には、ステップＳ４９に移行する。
【００４５】
また、ステップＳ４０の判定において、投影／設定操作釦１０２がオンされたと判定した場合には、ステップＳ４０をステップＳ４３に分岐して、制御部１は、確認用の画像表示をオフする（ステップＳ４３）。その後、制御部１は、切換スイッチ６をＢ接点側に切り換えて投影用液晶パネル１０を選択し（ステップＳ４４）、上記したようにして投影用画像の投影を行う（ステップＳ４５）。
【００４６】
その後、制御部１は、投影／設定操作釦１０２がオンのままであるか否か、即ち投影／設定操作釦１０２の押圧状態が解除されたか否かを判定する（ステップＳ４６）。ステップＳ１１の判定において、投影／設定操作釦１０２がオンのままである間は、投影用画像の投影を継続する。
【００４７】
一方、ステップＳ４６の判定において、投影／設定操作釦１０２がオフされたと判定した場合には、ステップＳ４６をステップＳ４７に分岐して、制御部１は、投影画像の投影を終了した後（ステップＳ４７）、切換スイッチ６をＡ接点側に切り換えて確認用液晶パネル１０７ａを選択する（ステップＳ４８）。
【００４８】
次に、制御部１は、図示しないカウンタのカウント値ｎをインクリメントする（ステップＳ４９）。そして、制御部１は、ｎ番目の画像データが画像記録メディア１０６に記録されているか否かを判定する（ステップＳ５０）。ステップＳ５０の判定において、ｎ番目の画像データが画像記録メディア１０６に記録されていると判定した場合には、ステップＳ３３に戻り、次の画像に関するファイル情報を読み出す。一方、ステップＳ５０の判定において、ｎ番目の画像データが画像記録メディア１０６に記録されていないと判定した場合には、ステップＳ５０をステップＳ５１に分岐して、カウンタのカウント値ｎを１に戻して（ステップＳ５１）、ステップＳ３３に戻る。
【００４９】
以上説明したように、第１の実施形態によれば、投影を行いたい画像と投影を行いたくない画像とを、設定モードにおいて使用者が容易に設定できるので使用者にとって使い易い。また、設定モード時には確認用の画像中に投影許可表示又は投影禁止表示を表示させるようにしたので、使用者が分かりやすい。さらに、第１の実施形態では、投影が禁止されている画像データは画像記録メディアから読み出さないようにしているので、画像データの読み出しによるタイムラグを削減することができる。
【００５０】
［第２の実施形態］
次に、本発明の第２の実施形態について説明する。図１２は、本発明の第２の実施形態に係る画像再生装置の一例を示す外観図である。この画像再生装置６００は、画像記録メディア１０６に記録された画像を、ケーブル７０１を介してテレビモニタ８０１などの表示機器に転送し、転送した画像をテレビモニタ８０１などの表示機器上で再生可能な画像再生装置である。図１２に示すように本画像再生装置６００には第１の実施形態で説明したのと同様の機能を有する、メインスイッチ（ＳＷ）１０１と、選択ダイアル１０３と、確認用液晶パネル１０７ａとが配置されている。また、図１２に示す再生／設定操作釦１０２ａは、第１の実施形態で説明した投影／設定操作釦１０２と同様の機能を有する手動操作部材である。更に、図１２では装着部３が露出配置されている。
【００５１】
図１３は、本発明の第２の実施形態に係る画像再生装置の内部構成について示すブロック図である。図１３に示すように、画像再生装置６００には、第１の実施形態で説明したのと同様の機能を有する、制御部１、画像読出部２、装着部３、画像表示部５、切換スイッチ６、検知部１６が設けられている。これらの動作については説明を省略する。
【００５２】
以上説明したように、第２の実施形態によれば、プロジェクタ装置以外の画像再生装置においても、再生表示を行いたい画像と再生表示を行いたくない画像とを設定モードにおいて容易に設定することができる。
【００５３】
以上実施形態に基づいて本発明を説明したが、本発明は上記した実施形態に限定されるものではなく、本発明の要旨の範囲内で種々の変形や応用が可能なことは勿論である。
【００５４】
更に、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５５】
【図１】本発明の第１の実施形態に係る画像再生装置の一例としてのプロジェクタ装置の外観図である。
【図２】プロジェクタ装置によって投影用画像を投影する際の様子を示す図である。
【図３】画像記録メディアが装着されるデジタルカメラの図である。
【図４】撮影画像とファイル情報とが画像記録メディア内でどのように割り付けられて記録されるのかを概念的に示した図である。
【図５】可倒式表示部について説明するための図である。
【図６】プロジェクタ装置の内部構成について示すブロック図である。
【図７】プロジェクタ装置におけるメインの制御について示したフローチャートである。
【図８】設定モードにおける制御について示したフローチャートである。
【図９】設定モードにおける確認用画像表示の例を示す図である。
【図１０】投影モードにおける制御について示したフローチャートである。
【図１１】投影モードにおける確認用画像表示の例を示す図である。
【図１２】本発明の第２の実施形態に係る画像再生装置の一例を示す外観図である。
【図１３】本発明の第２の実施形態に係る画像再生装置の内部構成について示すブロック図である。
【符号の説明】
【００５６】
１…制御部、２…画像読出部、３…装着部、５…画像表示部、６…切換スイッチ、７…駆動部、８…投影用光源、９…コンデンサレンズ、１０…投影用液晶パネル、１１…保護ガラス、１２…第１のプリズム、１４…第２のプリズム、１５…保護ガラス、１６…検知部、１０１…メインスイッチ、１０２…投影／設定操作釦、１０２ａ…再生／設定操作釦、１０３…選択ダイアル、１０４…投影レンズ、１０５…画像記録メディア装着部蓋、１０６…画像記録メディア、１０７…可倒式表示部、１０７ａ…確認用液晶パネル、６００…画像再生装置、７０１…ケーブル、８０１…テレビモニタ
【図１】
2006113370.tif 000003
【図２】
2006113370.tif 000004
【図３】
2006113370.tif 000005
【図４】
2006113370.tif 000006
【図５】
2006113370.tif 000007
【図６】
2006113370.tif 000008
【図７】
2006113370.tif 000009
【図８】
2006113370.tif 000010
【図９】
2006113370.tif 000011
【図１０】
2006113370.tif 000012
【図１１】
2006113370.tif 000013
【図１２】
2006113370.tif 000014
【図１３】
2006113370.tif 000015